【事件の表示】
　特許第３３０１２０８号「センサ情報記憶装置」の請求項１、３に係る特許に対する特許異議の申立てについて、次のとおり決定する。
【結　論】
　訂正を認める。
　特許第３３０１２０８号の請求項２に係る特許を維持する。
【理　由】
１．手続きの経緯
　特許第３３０１２０８号「センサ情報記憶装置」の特許請求の範囲第１項乃至第６項に記載された発明についての出願は、平成６年４月１９日に特許出願され、平成１４年４月２６日にその特許の設定登録がなされたものであり、その後、平成１５年１月１５日に　池田英治　より請求項１及び３に係る特許について特許異議の申立てがなされ、取消しの理由が通知され、その所定の期間内である平成１５年７月２５日に特許異議意見書と共に、訂正請求書が提出されたものである。
　
２．訂正の適否について
　（１）訂正の内容
　ア．訂正事項ａ
　特許請求の範囲の請求項１を削除する。
　イ．訂正事項ｂ
　特許請求の範囲の請求項２を、項番を繰り上げて請求項１として、次のように訂正する。
　【請求項１】　センサと、
　このセンサの測定時間間隔を示す時間間隔情報を設定する時間間隔情報設定手段と、
　この時間間隔情報設定手段により設定された時間間隔情報を記憶する時間間隔情報記憶手段と、
　前記センサによって測定されたセンサ情報を複数記憶可能なセンサ情報記憶手段と、
　このセンサ情報記憶手段に記憶可能なセンサ情報の数と、前記時間間隔情報記憶手段に記憶された時間間隔情報とにより、前記センサ情報記憶手段に記憶可能な数のセンサ情報を測定するための測定時間を算出する算出手段と、
　この算出手段により算出された測定時間を表示する表示手段と、
前記センサによる前回測定時からの経過時間が、前記時間間隔情報記憶手段に記憶された時間間隔と一致したか否かを計測する時間計測手段とを備えることを特徴とするセンサ情報記憶装置。
　ウ．訂正事項ｃ
　特許請求の範囲の請求項３を、項番を繰り上げて請求項２として、次のように訂正する。
　【請求項２】　センサと、
　このセンサの測定時間間隔を示す時間間隔情報を設定する時間間隔情報設定手段と、
　この時間間隔情報設定手段により設定された時間間隔情報を記憶する時間間隔情報記憶手段と、
　前記センサによる測定の合計時間を設定する合計時間設定手段と、
　この合計時間設定手段により設定された合計時間情報を記憶する合計時間情報記憶手段と、
　前記時間間隔情報記憶手段に記憶された時間間隔情報と、前記合計時間情報記憶手段に記憶された合計時間情報とから、前記センサによる測定の測定回数情報を算出する算出手段と、
　この算出手段で算出された測定回数情報を表示する表示手段とを備えることを特徴とするセンサ情報記憶装置。
　エ．訂正事項ｄ
　特許請求の範囲の請求項４を、項番を繰り上げて請求項３として、次のように訂正する。
　【請求項３】　前記センサは人体の情報を測定する生体情報検出センサであることを特徴とする請求項１または２記載のセンサ情報記憶装置。
　オ．訂正事項ｅ
　特許請求の範囲の請求項５を、項番を繰り上げて請求項４として、次のように訂正する。
　【請求項４】　前記サンサは脈拍情報を測定する脈拍センサであることを特徴とする請求項１または２記載のセンサ情報記憶装置。
　カ．訂正事項ｆ
　特許請求の範囲の請求項６を、項番を繰り上げて請求項５として、次のように訂正する。
　【請求項５】　さらに、前記センサの測定時間の合計が、前記合計時間記憶手段に記憶された合計時間と一致したか否かを計測する時間計測手段を備えることを特徴とする請求項２記載のセンサ情報記憶装置。
　キ．訂正事項ｇ
　発明の詳細な説明の欄の段落０００５を次のように訂正する。
【０００５】
　【課題を解決するための手段】
　第１の発明のセンサ情報記憶装置は、センサと、このセンサの測定時間間隔を示す時間間隔情報を設定する時間間隔情報設定手段と、この時間間隔情報設定手段により設定された時間間隔情報を記憶する時間間隔情報記憶手段と、センサによって測定されたセンサ情報を複数記憶可能なセンサ情報記憶手段と、このセンサ情報記憶手段に記憶可能なセンサ情報の数と、時間間隔情報記憶手段に記憶された時間間隔情報とにより、センサ情報記憶手段に記憶可能な数のセンサ情報を測定するための測定時間を算出する算出手段と、この算出手段により算出された測定時間を表示する表示手段と、センサによる前回測定時からの経過時間が、時間間隔情報記憶手段に記憶された時間間隔と一致したか否かを計測する時間計測手段とを備える。
　（２）訂正の目的の適否、新規事項の有無及び拡張・変更の存否
　訂正事項アについて；
　訂正事項アは、訂正前の請求項１を削除するもので、特許請求の範囲の減縮を目的とした明細書の訂正に該当し、願書に添付した明細書又は図面に記載された事項の範囲内のものであり、また、実質上特許請求の範囲を拡張・変更するものではない。
　訂正事項イについて；
　訂正事項イは、訂正事項アにおいてされた訂正前の請求項１の削除に伴い、訂正前の請求項２の項番号を繰り上げるとともに、独立請求項とするもので、明りょうでない記載の釈明を目的とした明細書の訂正に該当し、願書に添付した明細書又は図面に記載された事項の範囲内のものであり、また、実質上特許請求の範囲を拡張・変更するものではない。
　訂正事項ウについて；
　訂正事項ウは、訂正事項アにおいてされた訂正前の請求項１の削除に伴い、訂正前の請求項３の項番号を繰り上げるもので、明りょうでない記載の釈明を目的とした明細書の訂正に該当し、願書に添付した明細書又は図面に記載された事項の範囲内のものであり、また、実質上特許請求の範囲を拡張・変更するものではない。
　訂正事項エないしカについて；
　訂正事項エないしカは、訂正事項アにおいてされた訂正前の請求項１の削除に伴い、訂正前の請求項４ないし６の項番号を繰り上げるとともに、従属関係を整理するもので、明りょうでない記載の釈明を目的とした明細書の訂正に該当し、願書に添付した明細書又は図面に記載された事項の範囲内のものであり、また、実質上特許請求の範囲を拡張・変更するものではない。
　訂正事項キについて；
　訂正事項キは、上記訂正アないしカとの整合を図るものであるから、明りょうでない記載の釈明を目的とした明細書の訂正に該当し、願書に添付した明細書又は図面に記載された事項の範囲内のものであり、また、実質上特許請求の範囲を拡張・変更するものではない。
　（３）むすび
　したがって、上記各訂正は、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
　（１）本件発明
　上記２．で示した訂正が認められるから、本件発明は、上記訂正請求に係る訂正請求書の特許請求の範囲の請求項１乃至５に記載されるとおりの次のもの（以下、「本件発明１」、「本件発明２」・・・「本件発明５」などという。）である。
　【請求項１】　センサと、
　このセンサの測定時間間隔を示す時間間隔情報を設定する時間間隔情報設定手段と、
　この時間間隔情報設定手段により設定された時間間隔情報を記憶する時間間隔情報記憶手段と、
　前記センサによって測定されたセンサ情報を複数記憶可能なセンサ情報記憶手段と、
　このセンサ情報記憶手段に記憶可能なセンサ情報の数と、前記時間間隔情報記憶手段に記憶された時間間隔情報とにより、前記センサ情報記憶手段に記憶可能な数のセンサ情報を測定するための測定時間を算出する算出手段と、
　この算出手段により算出された測定時間を表示する表示手段と、
前記センサによる前回測定時からの経過時間が、前記時間間隔情報記憶手段に記憶された時間間隔と一致したか否かを計測する時間計測手段とを備えることを特徴とするセンサ情報記憶装置。
　【請求項２】　センサと、
　このセンサの測定時間間隔を示す時間間隔情報を設定する時間間隔情報設定手段と、
　この時間間隔情報設定手段により設定された時間間隔情報を記憶する時間間隔情報記憶手段と、
　前記センサによる測定の合計時間を設定する合計時間設定手段と、
　この合計時間設定手段により設定された合計時間情報を記憶する合計時間情報記憶手段と、
　前記時間間隔情報記憶手段に記憶された時間間隔情報と、前記合計時間情報記憶手段に記憶された合計時間情報とから、前記センサによる測定の測定回数情報を算出する算出手段と、
　この算出手段で算出された測定回数情報を表示する表示手段とを備えることを特徴とするセンサ情報記憶装置。
　【請求項３】　前記センサは人体の情報を測定する生体情報検出センサであることを特徴とする請求項１または２記載のセンサ情報記憶装置。
　【請求項４】　前記サンサは脈拍情報を測定する脈拍センサであることを特徴とする請求項１または２記載のセンサ情報記憶装置。
　【請求項５】　さらに、前記センサの測定時間の合計が、前記合計時間記憶手段に記憶された合計時間と一致したか否かを計測する時間計測手段を備えることを特徴とする請求項２記載のセンサ情報記憶装置。
　（２）申立ての理由の概要
　特許異議申立人　池田英治　は、訂正前の請求項１に係る発明は下記の甲第１乃至３号証に記載された発明に基づいて、及び、訂正前の請求項３に係る発明は下記の甲第２，４号証又は甲第１，２及び４号証に記載された発明に基づいて当業者が容易に発明をすることができたものであるから、特許法第２９条第２項の規定により特許を受けることができない発明であって、それらの特許は取り消されるべきものである旨主張している。
　　　　　　　　　　　　　　　　記
甲第１号証：特開昭６３−２７３９７３号公報
甲第２号証：特開平　５−１０７０５１号公報
甲第３号証：特開昭６３−２２９０３０号公報
甲第４号証：特開平　３−　８３１８９号公報
　
　（３）対比・判断
　申立てのあった訂正前の請求項１および３に係る発明の内、訂正前の請求項１に係る発明は上記訂正請求により削除されており、訂正前の請求項３に係る発明は本件発明２となっている。
　以下、本件発明２について検討する。
　本件発明２と特許異議申立人が提出した甲第１ないし４号証に記載されている発明を対比すると、当該いずれの甲号証にも、「前記センサによる測定の合計時間を設定する合計時間設定手段と、この合計時間設定手段により設定された合計時間情報を記憶する合計時間情報記憶手段」の構成が記載されていない。そして、本件発明２は、前記構成を有することにより、前記構成及び前記構成以外の本件発明２の構成と相俟って「測定の時間間隔、あるいは測定時間の合計を設定するときに、設定した条件のもとでの測定回数が表示されるので、測定回数を確認しながら適切な時間間隔及び合計時間を設定することができる」（本件特許公報段落００４１参照）という効果を奏するものと認められる。したがって、本件発明２は、上記各甲号証に記載された発明に基づいて当業者が容易に発明をすることができたものではない。
　なお、特許異議申立人は、特許異議申立書において、訂正前の請求項３に記載された発明（本件発明２）について、『甲第２号証は、複数の測定条件からある１つの測定条件（結果）を算出し、それを表示するものであり、「時間間隔情報」と「合計時間」という複数の測定条件から「センサによる測定の測定回数情報」という１つの測定条件（結果）を算出している本件発明と、この点で一致する部分がある。』（特許異議申立書第１３頁第７〜１０行）、及び、『本件の請求項３は、「時間間隔情報」「合計時間」「測定回数情報」というたった３つの測定条件のうち、「時間間隔情報」「合計時間」の２つの測定条件を使用者が任意に設定できるようにし、しかも「合計時間」から「時間間隔情報」を割って「測定回数情報」を求めるといった極めて単純な算出手段を有するものでしかない。
　このような極めて単純な算出手段は、甲第４号証にも記載がある。甲第４号証に記載された発明には、本件の「時間間隔情報」に該当する「平均の歩行周期」と、本件の「合計時間」に該当する「積算時間」を得て、演算部５において、「積算時間」から「平均の歩行周期」を割って本件の「測定回数情報」に該当する「歩数」を求める発明が開示されている。』（特許異議申立書第１３頁第１１〜２０行）と主張しているのでこの点について検討する。
　本件発明２は、甲第２号証に記載のもののように、単に複数の測定条件（例えば、「時間間隔情報」および「合計時間」）から１つの測定結果（例えば、「センサによる測定の測定回数情報」）を算出して表示するものではなく、特定の測定条件である「時間間隔情報」および「合計時間」を設定可能とし、設定した条件のもとでの測定回数を確認しながら適切な時間間隔及び合計時間の設定を可能とするものであるから、本件発明２と甲第２号証に記載された発明が一致しているとはいえない。また、甲第４号証に記載の発明における「平均の歩行周期」、「積算時間」および「歩数」が、それぞれ単に本件発明２における「時間間隔情報」、「合計時間」および「測定回数情報」に該当するとしても、この「平均の歩行周期」および「積算時間」を設定可能とすることは、上記甲第４号証のものに記載されていない。また、単に、複数の設定可能な条件から１つの設定結果を得ることが知られているという抽象的発想から本件発明２の構成を上記甲第４号証のものから想起することには困難性がある。したがって、特許異議申立人の主張は採用することができない。
　
４．むすび
　以上のとおりであるから、本件の請求項２に係る特許は、特許異議申立ての理由及び証拠によっては取り消すことはできない。
　また、他に本件の請求項２に係る特許を取り消すべき理由を発見しない。
　よって、結論のとおり決定する。
【異議決定日】
平成１５年８月６日（２００３．８．６）
【訂正の要旨】
審決（決定）の【理由】欄参照。
（５４）【発明の名称】
センサ情報記憶装置
（５７）【特許請求の範囲】
　【請求項１】　センサと、
　このセンサの測定時間間隔を示す時間間隔情報を設定する時間間隔情報設定手段と、
　この時間間隔情報設定手段により設定された時間間隔情報を記憶する時間間隔情報記憶手段と、
　前記センサによって測定されたセンサ情報を複数記憶可能なセンサ情報記憶手段と、
　このセンサ情報記憶手段に記憶可能なセンサ情報の数と、前記時間間隔情報記憶手段に記憶された時間間隔情報とにより、前記センサ情報記憶手段に記憶可能な数のセンサ情報を測定するための測定時間を算出する算出手段と、
　この算出手段により算出された測定時間を表示する表示手段と、
　
前記センサによる前回測定時からの経過時間が、前記時間間隔情報記憶手段に記憶された時間間隔と一致したか否かを計測する時間計測手段とを
　【請求項２】　
センサと、
　
このセンサの測定時間間隔を示す時間間隔情報を設定する時間間隔情報設定手段と、
　
この時間間隔情報設定手段により設定された時間間隔情報を記憶する時間間隔情報記憶手段と、
　
前記センサによる測定の合計時間を設定する合計時間設定手段と、
　
この合計時間設定手段により設定された合計時間情報を記憶する合計時間情報記憶手段と、
　
前記時間間隔情報記憶手段に記憶された時間間隔情報と、前記合計時間情報記憶手段に記憶された合計時間情報とから、前記センサによる測定の測定回数情報を算出する算出手段と、
　
この算出手段で算出された測定回数情報を表示する表示手段とを備えることを特徴とするセンサ情報記憶装置。
　【請求項３】　
前記センサは人体の情報を測定する生体情報検出センサであることを特徴とする請求項１または２記載のセンサ情報記憶装置。
　【請求項４】　
前記サンサは脈拍情報を測定する脈拍センサであることを特徴とする請求項１または２記載のセンサ情報記憶装置。
　【請求項５】　
さらに、前記センサの測定時間の合計が、前記合計時間記憶手段に記憶された合計時間と一致したか否かを計測する時間計測手段を備えることを特徴とする請求項２記載のセンサ情報記憶装置。
【発明の詳細な説明】
　【０００１】
　【産業上の利用分野】
　本発明は、センサで検出された情報を複数記憶するセンサ情報記憶装置に関する。
　【０００２】
　【従来の技術及び発明が解決しようとする課題】
　従来、腕時計に脈拍測定機能を付加して心拍数を測定できるようにした脈拍測定装置が考えられている。この脈拍測定装置は、脈拍センサで検出した心拍数データを複数記憶し、その記憶した心拍数データを表示できるようになっている。脈拍測定装置では、脈拍センサの測定間隔をユーザが選択できるようになっているものもあるが、通常、メモリに記憶できる心拍数データには上限があるので、メモリに記憶可能なデータ数により、選択した時間間隔で測定を行った場合の測定時間が決まることになる。
　【０００３】
　ところが、従来の脈拍測定装置では、選択した時間間隔で測定を行った場合の測定時間を知りたいときには、ユーザが自分自身でメモリの残り容量を調べ、あと何本のデータが記憶できるかを判断した後、選択した時間間隔とメモリに記憶可能なデータ数とから測定時間を算出する必要があり非常に面倒であった。
　【０００４】
　この問題は、上述した脈拍測定装置に限らずセンサの検出情報を記憶する他のセンサ情報記憶装置についても同様である。本発明の目的は、センサの測定時間間隔を設定したときに、センサの測定時間を表示することのできるセンサ情報記憶装置を提供することである。また、他の目的は、センサの測定時間間隔と、測定の合計時間とが設定された場合に、センサの測定回数を表示することのできるセンサ情報記憶装置を提供することである。
　【０００５】
　【課題を解決するための手段】
　第１の発明のセンサ情報記憶装置は、センサと、このセンサの測定時間間隔を示す時間間隔情報を設定する時間間隔情報設定手段と、この時間間隔情報設定手段により設定された時間間隔情報を記憶する時間間隔情報記憶手段と、センサによって測定されたセンサ情報を複数記憶可能なセンサ情報記憶手段と、このセンサ情報記憶手段に記憶可能なセンサ情報の数と、時間間隔情報記憶手段に記憶された時間間隔情報とにより、センサ情報記憶手段に記憶可能な数のセンサ情報を測定するための測定時間を算出する算出手段と、この算出手段により算出された測定時間を表示する表示手段と、
センサによる前回測定時からの経過時間が、時間間隔情報記憶手段に記憶された時間間隔と一致したか否かを計測する時間計測手段とを
　【０００６】
　第２の発明のセンサ情報記憶装置は、センサと、このセンサの測定時間間隔を示す時間間隔情報を設定する時間間隔情報設定手段と、この時間間隔情報によって設定された時間間隔情報を記憶する時間間隔情報記憶手段と、センサによる測定の合計時間を設定する合計時間設定手段と、この合計時間設定手段により設定された合計時間情報を記憶する合計時間情報記憶手段と、時間間隔情報記憶手段に記憶された時間間隔情報と、合計時間情報記憶手段に記憶された合計時間情報とから、センサによる測定の測定回数情報を算出する算出手段と、この算出手段で算出された測定回数情報を表示する表示手段とを備える。
　【０００７】
　【作用】
　第１の発明では、センサの測定時間間隔を設定したときに、設定された測定時間間隔と、センサ情報記憶手段に記憶可能なセンサ情報の数とからセンサ情報記憶手段に記憶可能な数のセンサ情報の測定が完了するまでの測定時間が算出され、その算出結果が表示されるので、例えば、ユーザは表示された測定時間を確認しながら適切な測定時間間隔を設定することができる。
　【０００８】
　また、第２の発明では、ユーザが設定する測定時間間隔情報と合計時間とから、その条件で何回測定を行うことができるかを算出し、算出結果を表示するようにしたので、ユーザはその表示から測定回数が適切かどうかを判断できる。
　【０００９】
　【実施例】
　以下、本発明の実施例を図面を参照しながら説明する。図１は、本発明の実施例の脈拍測定装置の外観図である。
　【００１０】
　この脈拍測定装置は、脈拍センサを有する送信機１と、受信機能を有する時計本体２とで構成されている。送信機１は、２つの電極型のセンサ３ａ、３ｂと、検出回路４、送信部５及びアンテナ６からなり、センサ３ａ、３ｂを心臓の左右の近傍の肌に直接接触させ、検出回路４でそれらの電極の電位の変化から心電波を検出し、検出した心電波データを送信部５からアンテナ６を介して時計本体２に送信するようになっているものであり、例えば体に直接装着される下着、ベルト等に取り付けられる。
　【００１１】
　時計本体２は、腕時計ケース７と、リストバンド８と、時刻、脈拍データ等を表示する表示部（液晶表示装置）９と、透明プラスチックなどからなる時計ガラス１０と、各種のキー、Ｓ１〜Ｓ４等からなる。なお、Ｓ１キーは動作モードを切り換えるとき操作されるキーであり、Ｓ２キーは脈拍の測定時間間隔を設定するとき操作されるキーであり、Ｓ３キーは脈拍の測定をスタートまたはストップさせるとき操作されるキーであり、Ｓ４キーはメモリをクリアするとき操作されるキーである。
　【００１２】
　次に、図２は、実施例の脈拍測定装置の回路ブロック図である。発振器１１で生成されるクロック信号は分周回路１２で分周され制御部１３へ出力される。キー入力部１４は、上述したＳ１キー〜Ｓ４キーからなり、それらのキーの操作信号を制御部１３へ出力する。
　【００１３】
　受信部１５は後述するフラグＦが「１」のとき動作指令信号１が供給されて動作し、アンテナ１６で受信される心電波の無線信号を復調して制御部１３へ出力する。制御部１３は、ＲＯＭ１７に格納されている制御プログラムに従って計時処理、脈拍測定処理等を実行する中央演算処理部であり、処理結果をＲＡＭ１８に記憶するとともに、ＲＡＭ１８の時刻データ、脈拍データ等をデコーダ・ドライバ１９へ出力してそれらのデータを表示部９へ表示させる。
　【００１４】
　ここで、ＲＡＭ１８のレジスタの構成を、図３を参照して説明する。ＲＡＭ１８には、表示部９に表示する表示データを記憶する表示レジスタ３１と、動作モードに対応した数値を記憶するモードレジスタＭと、脈拍測定中か否かを示すフラグＦと、計時処理により更新される現在時刻データを記憶する現在時刻レジスタ３２と、脈拍測定の測定時間間隔データを記憶する時間間隔レジスタ３３と、測定時間間隔の計測に用いられるタイマＴ１と、脈拍測定の合計時間の計測に用いられるタイマＴ２と、時間間隔レジスタ３３に設定された時間間隔毎に測定される脈拍データを記憶する複数のメモリエリアからなる脈拍メモリ３４とが設けられている。
　【００１５】
　この脈拍メモリ３４には、例えば３００本の測定された脈拍データが順に記憶されるが、他のモードから脈拍モードに切り換えられて脈拍の測定が開始されるときに、そのとき設定されている時間間隔データが、脈拍データの先頭に記憶されるようになっている。
　【００１６】
　図３は、時間間隔として「１５秒」が設定されているときに１５秒毎に測定された脈拍データ「８０」、「８５」、「９０」・・・と、時間間隔として「６０秒」が設定されているときに測定された脈拍データ「１２０」、「１１４」・・・がそれぞれ記憶されているときの状態を示している。
　【００１７】
　また、ＲＡＭ１８には、上記の脈拍メモリ３４のアドレスを指定するアドレスポインタＰ１と、脈拍メモリ３４に記憶可能なデータの本数を記憶する残り本数レジスタ３５と、測定の合計時間を記憶する合計時間レジスタ３６とが設けられている。
　【００１８】
　次に、以上のような構成の脈拍測定装置の動作を、図４及び図５のフローチャートを参照して説明する。制御部１３は、図４のステップＳ１のＨＡＬＴ状態にあるときに、計時タイミングとなったことを検出すると、ステップＳ２の計時処理を実行する。この計時処理では、時刻データを更新し、更新した時刻データをＲＡＭ１８の現在時刻レジスタ３２に格納する。その後、ステップＳ３で脈拍の測定中か否かを示すフラグＦが「１」か否かを判別する。この判別でフラグＦ＝０のときには、脈拍の測定中ではないので、ステップＳ４の表示処理に進みそのとき表示レジスタ３１に記憶されている表示データを表示部９に表示する。
　【００１９】
　他方、ステップＳ３の判別でフラグＦ＝１のときは、脈拍の測定中であるので、ステップＳ５に進みタイマＴ１及びＴ２を「１」インクリメントしてそれぞれの計測時間を更新する。ここで、タイマＴ１は、脈拍の測定を行う時間間隔を計測するためのタイマであり、タイマＴ２は設定された時間間隔毎に行われる脈拍測定の合計時間を計測するためのタイマである。
　【００２０】
　次のステップＳ６で、タイマＴ２の値が合計時間レジスタ３６に設定されている合計時間データと一致するか否かを判別する。この判別でタイマＴ２の値が設定された合計時間データと一致すると判別されたときには、ステップＳ７に進みフラグＦを「０」にして脈拍の測定を終了させる。その後、前述したステップＳ４の表示処理を実行する。
　【００２１】
　他方、ステップＳ６の判別でタイマＴ２の値が設定された合計時間に達していないと判別されたときには、ステップＳ８に進みタイマＴ１の値が時間間隔レジスタ３３に設定されている時間間隔データと一致するか否かを判別する。この判別でタイマＴ１の値が設定された時間間隔データと一致すると判別されたときには、ステップＳ９に進み、受信部１５で受信される心電波の信号から、その心電波の時間間隔を計測し、その時間間隔に基づいて１分当たりの脈拍データを算出し、この脈拍データをＲＡＭ１８の脈拍メモリ３４に格納し、さらにタイマＴ１の内容をクリアする。
　【００２２】
　そして、次のステップＳ１０で脈拍メモリ３４の空きエリアが無くなったか否かを判別し、空きエリアが有れば、前述したステップＳ４の表示処理を実行する。このとき、空きエリアが無ければ、ステップＳ１１に進みフラグＦを「０」にして脈拍の測定を終了させた後、ステップＳ４の表示処理を実行する。
　【００２３】
　ステップＳ１のＨＡＬＴ状態においてキーの操作信号を検出したときには、ステップＳ１２に進みＳ１キーの操作か否かを判別する。この判別で、Ｓ１キーの操作と判別されたときには、次のステップＳ１３でモードレジスタＭの値が「０」か否かを判別する。
　【００２４】
　Ｍ＝０の時計モードにおいてＳ１キーが操作された場合には、ＲＡＭ１８の脈拍メモリ３４の空きエリアを調べ、脈拍メモリ３４に記憶可能なデータの本数（残り本数）を算出し、その算出した値をＲＡＭ１８の残り本数レジスタ３５に格納する。そして、その脈拍メモリ３４に記憶可能なデータの本数と、そのとき時間間隔レジスタ３３に設定されている時間間隔データとから、設定された時間間隔毎に測定を行った場合の測定の合計時間を算出し、算出した合計時間をＲＡＭ１８の合計時間レジスタ３６に格納する。さらに、モードレジスタＭに「１」を設定して動作モードを脈拍モードに切り換える。
　【００２５】
　他方、ステップＳ１３の判別でＭ≠０と判別されたときには、ステップＳ１５に進みモードレジスタＭの値が「１」か否かを判別する。この判別でモードレジスタＭの値が「１」と判別されたときには、ステップＳ１６に進みモードレジスタＭに「２」を設定する。また、ステップＳ１５の判別でＭ≠１と判別されたときには、ステップＳ１７に進みモードレジスタＭに「０」を設定して動作モードを時計モードに切り換える。
　【００２６】
　ステップＳ１２の判別で、Ｓ１キーの操作でないと判別されたときには、ステップＳ１８に進み、Ｓ２キーの操作か否かを判別する。この判別でＳ２キーの操作であると判別されたときには、ステップＳ１９に進みモードレジスタＭの値が「１」か否かを判別する。
　【００２７】
　この判別でＭ＝１と判別されたときには、Ｍ＝１の脈拍モードにおいてＳ２キーが操作された場合であり、この場合には、そのときユーザにより設定された時間間隔データをＲＡＭ１８の時間間隔レジスタ３３に格納する。すなわち、脈拍モードにおいては、Ｓ２キーを操作する毎に「１」づつインクリメントされた時間間隔データが表示部９に表示され、そのとき表示された時間間隔データがＲＡＭ１８の時間間隔レジスタ３３に設定される。さらに、このときＲＡＭ１８の残り本数レジスタ３５に設定されているＲＡＭ１８に記憶可能なデータ数と、今回設定された時間間隔データとから、設定された時間間隔で脈拍を測定した場合に、測定データの数が記憶可能なデータ数に達するまでの時間（測定の合計時間）を算出し、算出した合計時間データをＲＡＭ１８の合計時間レジスタ３６に格納する。
　【００２８】
　すなわち、Ｍ＝１の脈拍モードにおいてＳ２キーを操作することで、測定の時間間隔を任意に設定でき、さらにそのとき設定した時間間隔で測定を行った場合の測定の合計時間を表示させることができる。
　【００２９】
　他方、ステップＳ１９の判別でＭ≠１と判別されたときには、ステップＳ２１に進みモードレジスタＭの値が「２」か否かを判別する。この判別でＭ＝２と判別されたときは、脈拍データ表示モードにおいてＳ２キーが操作された場合であり、その場合にはステップＳ２２に進みアドレスポインタＰ１の指す脈拍メモリ３４の脈拍データを読み出して表示部９に表示する。
　【００３０】
　なお、この実施例では、ＲＡＭ１８に記憶可能なデータの本数と、ユーザが設定した時間間隔データとから、記憶可能なデータの本数分の脈拍の測定が終了するまでの合計時間を表示するようにしているが、例えば、測定を行う合計時間をユーザが設定できるようにし、設定された合計時間の間、設定された時間間隔毎に測定を行った場合の測定回数を算出し、その測定回数を表示するようにしても良い。
　【００３１】
　この場合、例えばユーザの望む所定の時間内に測定を完了させたい場合には、それに対応した合計時間を合計時間レジスタ３６に設定し、さらにＳ２キーを操作して所望の測定間間隔を設定すれば、それらの条件のもとでの測定回数が表示されるので、ユーザはその表示を見ながら適切な測定時間間隔を設定することができる。
　【００３２】
　図４のステップＳ１８で、操作されたのがＳ２キーではないと判別されたときには、図５のステップＳ３１に進み操作されたのがＳ３キーか否かを判別する。この判別で、操作されたのがＳ３キーであると判別されたときには、ステップＳ３２に進みモードレジスタＭの値が「１」か否かを判別する。この判別でＭ＝１と判別されたときには、さらに次のステップＳ３３でフラグＦが「０」か否かを判別する。
　【００３３】
　ステップＳ３３の判別でＦ≠０のとき、すなわち、脈拍モードで、かつ脈拍の測定中でないときにＳ３キーが操作された場合には、ステップＳ３４に進みＲＡＭ１８のレジスタに記憶されている時間間隔データと脈拍メモリ３４に記憶可能なデータの本数とから合計測定時間を算出し、算出した合計時間データをＲＡＭ１８の合計時間レジスタ３６に格納するとともに、時間間隔データを脈拍メモリ３４の空きエリアの先頭に転送する。その後、次のステップＳ３５でフラグＦに「１」を設定して脈拍の測定を開始する。
　【００３４】
　他方、ステップＳ３３の判別でＦ＝１のときには、ステップＳ３６に進みフラグＦに「０」を設定して脈拍測定を終了させる。すなわち、Ｍ＝１の脈拍モードにおいては、Ｓ３キーは脈拍測定のスタート、ストップキーとして機能する。
　【００３５】
　ステップＳ３１の判別で、操作されたのがＳ３キーではないと判別されたときには、ステップＳ３７に進みＳ４キーの操作か否かを判別する。この判別で、操作されたのがＳ４キーであると判別されたときには、ステップＳ３８に進みモードレジスタＭの値が「１」か否かを判別する。Ｍ＝１のとき、すなわち脈拍モードにおいてＳ４キーが操作されたときには、ＲＡＭ１８の各メモリエリアをクリアする。すなわち、脈拍モードにおいてはＳ４キーはクリアキーとして機能し、Ｓ４キーを操作することにより各メモリエリアに記憶されているデータをクリアすることができる。また、ステップＳ３７の判別で、操作されたのがＳ４キーでないと判別されたときには、ステップＳ４０の他のキー処理を実行する。
　【００３６】
　ここで、脈拍測定装置の表示状態の一例を図６を参照して説明する。Ｍ＝０の時計モードでは、表示部９には日付及び時刻が表示される。同図は、１９９４年５月１日１０時５０分２５秒を示している。
　【００３７】
　この状態でＳ１キーを操作すると、Ｍ＝１の脈拍モードに切り替わり、そのとき脈拍メモリ３４に記憶可能なデータ数と、時間間隔レジスタ３３に設定されている時間間隔データと、その時間間隔毎に測定を行った場合の合計時間とが表示される。図６は、脈拍メモリ３４の記憶可能なデータ数が３００本、設定されている時間間隔が１５秒のときの測定時間の合計が１時間１５分であることを示している。
　【００３８】
　その後、測定のスタートスイッチが操作され脈拍測定が開始されると、表示部９に最新の脈拍データ（例えば、８０）が表示され、そのときの測定時間間隔（例えば、１５秒）が点滅表示される。
　【００３９】
　上述した実施例では、ユーザがセンサの測定の時間間隔を設定すると、その設定した時間間隔とそのときＲＡＭ１８の脈拍メモリ３４に記憶可能なデータ数とから、設定された時間間隔で測定を行った場合の測定時間の合計が算出され、その算出結果が表示されるので、例えば、ユーザはその表示を確認しながら自分が望む時間内に測定が終了するように時間間隔を設定することができる。
　【００４０】
　なお、上述した実施例では、無線で心電波を送受信するようにしたが、例えばコード等を用いて送受信させるようにし、脈拍を測定する時のみ検出回路４を動作させるようにすれば消費電流を少なく出来る。又、上記例は脈拍測定装置について述べたものだが、これに限らず脈拍センサ以外の他のセンサを利用したセンサ情報記憶装置にも適用できることは言うまでもない。
　【００４１】
　【発明の効果】
　第１の発明によれば、測定の時間間隔を設定するときに、設定した時間間隔で測定を行った場合の合計時間が表示されるので、ユーザはその表示を見ながらユーザの望む時間内に測定が終了するような時間間隔を設定することができ、時間間隔の設定を効率良く行うことができる。第２の発明によれば、測定の時間間隔、あるいは測定時間の合計を設定するときに、設定した条件のもとでの測定回数が表示されるので、測定回数を確認しながら適切な時間間隔及び合計時間を設定することができる。
【図面の簡単な説明】
　【図１】
　本発明の実施例の脈拍測定装置の外観図である。
　【図２】
　実施例の脈拍測定装置の回路ブロック図である。
　【図３】
　ＲＡＭの構成図である。
　【図４】
　脈拍測定装置の動作を示すフローチャートである。
　【図５】
　脈拍測定装置の動作を示すフローチャートである。
　【図６】
　表示状態の一例を示す図である。
　【符号の説明】
　３ａ、３ｂ　センサ
　４　検出回路
　９　表示部
　１３　制御部
　１５　受信部
　１７　ＲＯＭ
　１８　ＲＡＭ